【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
全地球的航法衛星システム（ＧＮＳＳ）（１００）の中で受信機（２２０）の位置を決定する精度を高めるのに使用するための対流圏の遅延データを得る方法であって、
前記受信機から遠く離れた位置（２００）で第１のモデル（２３０）から様々な受信機の地理的な位置に適用できる概算の対流圏の遅延値の第１の組を生成するステップと、
前記受信機から遠くの位置で第２の気象学的なモデルから前記様々な受信機の地理的な位置に適用できる正確な対流圏の遅延値の第２の組を生成するステップと、
前記第１のモデルに適用できる対流圏の遅延値の修正値の組（２６０）を作成するステップであって、前記第１のモデルと前記対流圏の遅延値の修正値とを合わせると、前記正確な対流圏の遅延値の第２の組とほぼ一致する対流圏の遅延値の組を提供できるステップと、
前記受信機に前記対流圏の遅延値の修正値の組を伝達するステップと、
を含むことを特徴とする方法。
【請求項２】
前記第１のモデルが、非気象学的なパラメータに基づいていることを特徴とする請求項１に記載の方法。
【請求項３】
前記非気象学的なパラメータが、年の時間，緯度，及び高度の少なくとも１つを含むことを特徴とする請求項２に記載の方法。
【請求項４】
前記非気象学的なパラメータが、経度及び日の時間の少なくとも１つを含むことを特徴とする請求項３に記載の方法。
【請求項５】
前記対流圏の遅延値の組が、天頂の対流圏の遅延値を含むことを特徴とする請求項１乃至４の何れか１項に記載の方法。
【請求項６】
前記第１のモデルが、前記天頂の対流圏の遅延値に対する所定の仰角における対流圏の遅延値に関係するマッピング関数を含むことを特徴とする請求項５に記載の方法。
【請求項７】
前記対流圏の遅延値の修正値の組が、前記第１のモデルのマッピング関数と共に使用するための修正値の組を含むことを特徴とする請求項６に記載の方法。
【請求項８】
前記遅延値の修正値は、前記第１のモデルに起因する前記概算の対流圏の遅延値の第１の組に対応する値と、前記第２の気象学的なモデルに起因する前記正確な対流圏の遅延値に起因する第２の組に対応する値との間の差であることを特徴とする請求項１乃至７の何れか１項に記載の方法。
【請求項９】
前記遅延値の修正値は、前記対流圏の遅延値の第１の組の値からの分数変化率として表されることを特徴とする請求項８に記載の方法。
【請求項１０】
前記遅延値の修正値の組は、データアレイとして表され、各修正値は、地球表面の少なくとも一部上の個々のグリッド点に対して決定された値を有することを特徴とする請求項１乃至９の何れか１項に記載の方法。
【請求項１１】
前記修正値の組は、デジタルデータファイルとして表されることを特徴とする請求項１０に記載の方法。
【請求項１２】
前記ディジタルデータファイルは、複数ビットの語のグレースケール画像であり、それぞれの語は地域の位置を表すことを特徴とする請求項１１に記載の方法。
【請求項１３】
前記対流圏の遅延値の修正値の組に対してデータの縮小（２７０）を行うステップであって、対流圏の遅延値の修正値の縮小された組を導出してユーザに伝達するステップをさらに含むことを特徴とする請求項１２に記載の方法。
【請求項１４】
前記データの縮小は、画像圧縮工程によって達成されることを特徴とする請求項１３に記載の方法。
【請求項１５】
損失データ圧縮法によってデータサイズを縮小するステップを含むことを特徴とする請求項１３又は１４に記載の方法。
【請求項１６】
ＪＰＥＧ２０００又はＪＰＥＧ９０の規格に基づいて、補正値の組のデータファイルを縮小することによってデータ縮小を行うステップを含むことを特徴とする請求項１５に記載の方法。
【請求項１７】
前記正確な対流圏の遅延値が、レイトレーシング技術によって得られることを特徴とする請求項１乃至１６の何れか１項に記載の方法。
【請求項１８】
前記正確な対流圏の遅延値が、三次元の屈折率フィールドの発生によって得られることを特徴とする請求項１７に記載の方法。
【請求項１９】
前記気象学的なモデルが、地球の地域に対する数値天気予報（ＮＷＰ）に基づいていることを特徴とする請求項１乃至１８の何れか１項に記載の方法。
【請求項２０】
前記気象学的なモデルまたは各前記対流圏の遅延値の修正値は、直接観察された気象データにより増大されることを特徴とする請求項１７乃至１９の何れか１項に記載の方法。
【請求項２１】
前記直接観察されたデータが、ＮＷＰのデータよりも小さい分解能を有することを特徴とする請求項２０に記載の方法。
【請求項２２】
前記直接観察された気象データが、前記ＮＷＰのデータの少なくとも一部に対応する地球の表面の地域に関係するデータセットとして得られることを特徴とする請求項２０又は２１に記載の方法。
【請求項２３】
前記地域が、実質的にグローバルであることを特徴とする請求項１９乃至２２の何れか１項に記載の方法。
【請求項２４】
気象情報から１つ又はそれ以上の将来の時点の正確な対流圏の遅延値を予測するステップと、地球表面の前記地理的な地域に対する前記遅延値の修正値の予測の組を作成するステップとを含み、これにより、前記予測の組の各要素が、作成時からの時間の関数として現在のものになる遅延値の修正値を記述することを特徴とする請求項１７乃至２３の何れか１項に記載の方法。
【請求項２５】
前記対流圏の遅延値の修正値の組は、通信チャネル又はデータリンク上で前記受信機に伝達されることを特徴とする請求項１乃至２４の何れか１項に記載の方法。
【請求項２６】
請求項２４に記載の方法が、前記遅延値の修正値の前記予測の組をバッチとして伝達するステップ、及び、前記組の要素をそれぞれが予測された時間として使用するステップを含む場合には、予想に関する限り現在のものになることを特徴とする請求項２５に記載の方法。
【請求項２７】
前記遅延値の修正値の組の少なくとも一部を少なくとも１つの軌道周回衛星（１１０1、１１０2、……）に伝達するステップと、前記組の少なくとも一部を前記少なくとも１つの軌道周回衛星から前記受信機に再送信するステップとを含むことを特徴とする請求項１乃至２６の何れか１項に記載の方法。
【請求項２８】
前記遅延値の修正値の組の中の、衛星（１１０1、１１０2、……）の有効範囲内の地域内にある受信機に有用な部分のみが、前記衛星に伝達されることを特徴とする請求項１乃至２７の何れか１項に記載の方法。
【請求項２９】
衛星の送信アベイラビリティ及び送信速度により指示され、気象学的なモデルにより使用される気象情報の有効な時間より相当短い時間内に、受信機によって使用可能な前記遅延値の修正値の組の全て又は一部を送信するのに十分なようにデータを縮小するステップを含むことを特徴とする請求項１３又はこれに従属する請求項の何れか１項に記載の方法。
【請求項３０】
前記データの縮小が、２５〜５００ビット／秒の範囲のデータ速度で遅延値の修正値のデータを受信機に送信できるように構成されていることを特徴とする請求項２９に記載の方法。
【請求項３１】
前記データの縮小が、２００から２５０ビット／秒の範囲のデータ速度で遅延値の修正値のデータを受信機に送信できるように構成されていることを特徴とする請求項３０に記載の方法。
【請求項３２】
請求項１乃至３１の何れか１項に記載の方法を実施することを特徴とする装置。
【請求項３３】
全地球的航法衛星システム（ＧＮＳＳ）（１００）の中の対流圏の遅延エラーを減じる方法であって、
第２の気象学的なモデルから前に導出された対流圏の遅延値の修正値の組を受信する複数の衛星（１１０1、１１０2、……）から受信した信号に適用可能な第１のモデル（１３０）から概算の対流圏の遅延値の第１の組を生成するステップと、
前記対流圏の遅延値の修正値の組に従って前記概算の対流圏の遅延値の第１の組を補正するステップと、
を含むことを特徴とする方法。
【請求項３４】
前記方法は、受信機（２２０）の位置をより正確に決定するために採用され、前記方法は、前記概算の対流圏の遅延値の第１の組を生成するステップの後に地球の表面に対する前記受信機の概算の位置を計算するステップと、次いで前記対流圏の遅延値の修正値の組に従って前記対流圏の遅延値の第１の組を補正するステップの後に前記受信機の正確な位置を計算するステップとをさらに含むことを特徴とする請求項３３に記載の方法。
【請求項３５】
全地球的航法衛星システム（ＧＮＳＳ）の受信機（２２０）であって、前記受信機の位置又は現在の時間をより正確に計算できる受信機（２２０）において、
複数の衛星から受信した信号に適用可能な概算の対流圏の遅延値の第１の組を生成し、地球の表面に対する前記受信機の概算の位置又は時間を計算する手段（１３０）と、
気象データから前に導出された対流圏の遅延値の修正値の組を受信する手段と、
前記対流圏の遅延値の修正値に従って前記概算の対流圏の遅延値の第１の組を補正する手段と、
前記受信機の位置又は時間を計算する手段と、
を備えることを特徴とする受信機。
【請求項３６】
前記概算の対流圏の遅延値の第１の組を補正する前記手段は、前記修正値が導出された位置に対して計算されたユーザの位置に従って前記修正値の補間及び補外のうちの１つを達成することを特徴とする請求項３５に記載の受信機。
【請求項３７】
複数の衛星（１１０1、１１０2、……）から受信した信号に適用可能な第１のモデル（１３０）から概算の対流圏の遅延値の第１の組を生成する全地球的航法衛星システム（ＧＮＳＳ）（１００）の中の対流圏の遅延エラーを補正する受信機であって、前記受信機は、第２の気象学的なモデルから前に導出された対流圏の遅延値の修正値の組を受信し、前記対流圏の遅延値の修正値の組に従って前記概算の対流圏の遅延値の第１の組を補正することを特徴とする受信機。
【請求項３８】
前記受信機は、前記概算の対流圏の遅延値の第１の組を生成するステップの後に地球の表面に対する前記受信機の概算の位置を計算し、次いで、前記対流圏の遅延値の修正値の組に従って前記対流圏の遅延値の第１の組を補正するステップの後に前記受信機の正確な位置を計算することにより、前記受信機の位置をより正確に決定できることを特徴とする請求項３７に記載の受信機。